(57)【要約】【課題】  ネックウエア装着時の装飾性を取り入れるのはもちろんのこと、装着の際の圧迫感を取り除き、肌触りの良さを取り入れる。また、暖かく装着できるようにする。【解決手段】  ネックウエア本体に、首元に装着できるような留め具材を設ける。留め具材は、ネックウエア本体の表側に複数個、裏側に１個設ける。ネームタグは、ネックウエアの半分の長さの位置に設ける。また、場合によってはネックウエアの表面の形状をでこぼこ状とする。【選択図】図１
0003121660.tif 000002
【実用新案登録請求の範囲】
【請求項１】
ネクタイやマフラーのような長尺状のネックウエアにおいて、この長尺状の長さが半分となる中央部にネームタグを設けたことを特徴とするネックウエア
【請求項２】
ネクタイやマフラーのような長尺状のネックウエアにおいて、この長尺状のネックウエアの両端が開き過ぎずに装着できるよう、前記長尺状のネックウエア本体の表側の面に留め具材を１個，前期長尺状のネックウエア本体の相対する裏側の面に留め具材を１個設けたことを特徴とするネックウエア
【請求項３】
ネクタイやマフラーのような長尺状のネックウエアにおいて、この長尺状のネックウエアを装着した際の胸元に垂れる長尺状の長さを調節できるように、前記長尺状のネックウエア本体の表側の面に留め具材を複数個、また前記長尺状のネックウエア本体の相対する裏側の面に留め具材を１個設けたことを特徴とするネックウエア
【請求項４】
ネクタイやマフラーのような長尺状のネックウエアにおいて、この長尺状のネックウエア本体の長尺状の両端をそれぞれネクタイの剣先を縦に切断した形に形成し、前記長尺状のネックウエアを装着した際に胸元に垂れた長尺状の両端が合わさりネクタイの剣先の形になるよう、前記長尺状のネックウエア本体の表側の面に留め具材を１個、前記長尺状のネックウエア本体の相対する裏側の面に留め具材を１個設けたことを特徴とするネックウエア
【請求項５】
ネクタイのような長尺状のネックウエアにおいて、この長尺状のネックウエア本体の大剣の裏面のかんぬき止めの部分を縫い合わせず、前記長尺状のネックウエア本体のかんぬき止めの部分を開閉自在となるように、前記長尺状のネックウエア本体のかんぬき止めの部分の左右の生地に、それぞれひも状の部材を１本ずつ設けたことを特徴とするネックウエア
【請求項６】
ネクタイやマフラーのような長尺状のネックウエアにおいて、前記長尺状のネックウエア本体の表面をでこぼこさせた形状としたことを特徴とする請求項１、請求項２、請求項３、請求項４、請求項５記載のネックウエア
【考案の詳細な説明】
【技術分野】
【０００１】  本考案は、ネックウエア装着者がネックウエアを装着した際の装飾性を考慮し、また、装着時の圧迫感を取り除くことはもちろんのこと、肌触りのよさ、暖かさを考慮にいれたネックウエアに関するものである。
【背景技術】
【０００２】  従来、この種のネックウエアとしては、ネックウエアの長さの半分の位置にネームタグのついたものはなかった。この種のネックウエアを装着する際にネックウェアの両端が開き過ぎないように留め具材のついているものはなく、胸元に垂れるネックウエアの長さを調節できるように留め具材の付いたものはなかった。
また、この種のネックウエアのネクタイの大剣の裏面のかんぬき止めをせずにかんぬき止めの両側の生地の開閉をする場合はファスナーでするものがあるだけだった。
【考案の開示】
【考案が解決しようとする課題】
【０００３】  従来、この種のネックウエアは、首元に装着したときに、胸元に垂れたその両端の長さが不揃いとなり、人にだらしない印象を与えおしゃれな感じにはみられなかった。また、従来のネックウエアでは、首元に装着したときに、そのネックウエアの両端が開き、だらしなく人におしゃれな印象を与えなかった。また、従来のネックウエアを何度も使用しているとしわになり、これまた人に好印象を与えなかった。また、従来のネックウエアでは、有名ブランドのネックウエアを装着しても他の人が見た場合すぐにブランド物だと分からなかった。ネックウエア装着者にしてみれば、すぐにブランド物だと分かれば、おしゃれに見られ装飾的な装着ができるはずだという考えの人が多かった。従来のネックウエアでは、以上のような装飾性に問題点を有していた。【０００４】  また、従来のネックウエアでは、ネクタイの大剣の裏側のかんぬき止めがされてなく、かんぬき止めの部分の両側の生地をファスナーで開閉するものはあったが、これでは装飾性に乏しいという問題点を有していた。【０００５】  また、従来のネックウエアでは、首元に装着したときに、肌触りも悪く、圧迫感があるばかりでなく、装着した人にとってもあまり暖かくないという問題点を有していた。
従来のネックウエアは、以上のような問題点を有していた。
本考案は、上述の問題点に鑑みてなされたものであり、ネックウエアを装着した際の装飾性を考慮すると同時に、装着時の圧迫感をなくし、肌触りを良くするとともに暖かさを追求することを課題としたものである。
【課題を解決するための手段】
【０００６】  上記目的を達成するために、本考案におけるネックウエアは、長尺状のネックウエアの半分の長さの位置にネームタグを設けた。
また、ネックウエア本体に、ネックウエアの長尺状の両端がだらしなく開かないように、首元に簡単に装着できる留め具を設けた。また、ネックウエアの胸元に垂れる部分の長さも調節できるように、ネックウエア本体の裏側に留め具を１個、表側に複数個の留め具を設けた。
また、ネクタイの大剣の裏側のかんぬき止めをせずに、かんぬき止めの部分の両側の生地に、それぞれひも状のものを１本ずつ設けた。
また、上述のネックウエアの表面をでこぼこの形状にした。
【考案の効果】
【０００７】  上述の様に本考案のネックウエアは構成されているので、請求項１では、ネックウエアの中央の位置がすぐに分かり、装着した際に胸元に垂れる部分の長さを容易に揃えることが可能となり装飾的な装着ができる。また、ネックウエアのネームタグを表側にして他の人から見えるように装着すれば、すぐにブランド名が分かり、有名ブランドのネックウエアを装着すれば、装着者のおしゃれ具合、装飾性を分からせることができる。
請求項２では、ネックウエアを簡単に、その両端が広がらないように装着することが可能となり、装飾的に装着することができる。また、ネックウエアの両端もいろいろなものに引っかからず安全に装着することができる。
請求項３では、ネックウエアを首元に装着する際に締め付け具合が調節できるので、圧迫感もなく装着することができる。また、胸元に垂れる長さも調節できるので、装着者の身体の大きさに合わせて適度な長さにネックウエアを胸元に垂れさせることが可能となり、装飾的な装着ができる。
請求項４では、ネックウエアを装着した際に、胸元に垂れるネックウエアの両端が合わさりネクタイの剣先の形となるため、意外性と装飾性を持った装着ができる。
請求項５では、ネクタイの裏側のかんぬき止めをせずに、かんぬき止めの部分の両側の生地にそれぞれ１本ずつひも状のものを設けたため、このひも状のもので蝶々結び等の装飾的な結び方が可能となる。
請求項６では、ネックウエアの表面をでこぼこさせたため、柔らかく、肌触りの良い特性が、装着の際の圧迫感を取り除き、軽快感を与えることができる。
生地を縮んだようにでこぼこさせたため何回使用してもしわにならないので、他の人にもおしゃれな好印象を与え、装飾的な装着をすることができる。
また、生地の表面におうとつができ、首元に装着の際には、首元にあたる生地の表面のへこんだ部分にたまった空気が装着者の体温で温められ非常に暖かく装着することができる。
【考案を実施するための最良の形態】
【０００８】  ネックウエア本体の表面をでこぼこさせた形状とし、ネックウエアの胸元に垂れる部分の長さを調節できるように、ネックウエア本体の裏側の面に留め具材を１個、また表側の面に留め具材を複数個設けた。
【実施例】
【０００９】  実施例について、図面を参照して説明する。図１において、ネックウエア本体１の素材は縮み織とし、長尺状のネックウエアの長さが半分の位置にネームタグ２を糸によりネックウエア本体１に縫い付ける。図２、３において、留め具材３は、ホック、またはマジックテープ（登録商標）とし、糸によりネックウエア本体に縫い付ける。図４、５において、留め具材３は、ネックウエア本体１の表側の部分に複数個、裏側の部分に１個、適宜糸によりネックウエア本体１に縫い付ける。図４において、ネックウエア本体１の長尺状の両端は、ネクタイの剣先を縦に切断した形に縫製し、留め具材３を糸によりネックウエア本体１に縫い付ける。図５において、ひも状の部材４はしゃれた感じの組み紐とし、ネクタイのかんぬき止めの部分５の両側の生地に糸で縫いつける。【００１０】  本考案の一実施例は、上述の通り構成されたものであるから、ネックウエアを装飾的に装着することができ、また、首元の圧迫感もなく、肌触りが良いだけでなくしかも暖かく装着することができる。
【図面の簡単な説明】
【００１１】
【図１】請求項１記載のネックウエアのネームタグを設けた側から見た図
【図２】請求項２記載のネックウエアを表側から見た図
【図３】請求項２記載のネックウエアを裏側から見た図
【図４】請求項３記載のネックウエアを表側から見た図
【図５】請求項３記載のネックウエアを裏側から見た図
【図６】請求項４記載のネックウエアを表側から見た図
【図７】請求項４記載のネックウエアを裏側から見た図
【図８】請求項５記載のネックウエアを裏側から見た部分図
【図９】表面がでこぼこの形状のネックウエアの断面図
【図１０】請求項１記載のネックウエア装着者を後方から見た状態を示す図
【図１１】請求項２記載のネックウエアを装着している状態を示す図
【図１２】請求項３記載のネックウエアを装着している状態を示す図
【図１３】請求項４記載のネックウエアを装着している状態を示す図
【符号の説明】
【０００１２】  １  ネックウエア本体
２  ネームタグ
３  留め具材
４  ひも状の部材
５  かんぬき止めの部分
【図１】
0003121660.tif 000003
【図２】
0003121660.tif 000004
【図３】
0003121660.tif 000005
【図４】
0003121660.tif 000006
【図５】
0003121660.tif 000007
【図６】
0003121660.tif 000008
【図７】
0003121660.tif 000009
【図８】
0003121660.tif 000010
【図９】
0003121660.tif 000011
【図１０】
0003121660.tif 000012
【図１１】
0003121660.tif 000013
【図１２】
0003121660.tif 000014
【図１３】
0003121660.tif 000015